(57)【要約】【課題】  電源投入から記録再生可能状態への移行時間を短縮する。【解決手段】  ユーザからの指示を検出すべくユーザ指令制御部１５あるいはそれを含むシステムコントローラ１６だけが通電される待機状態において媒体交換要求があった場合、自動的且つ一時的に装置全体への通電を開始し、媒体の判別、サーボ制御の最適化、記録レーザパワーの最適化を実行し、その各条件を不揮発な記憶手段３９に記憶し再び自動的に待機状態に移行する。その後、ユーザが記録再生を目的とした電源投入を指示をした場合、記憶手段３９からの情報に基づき上記媒体判別、サーボ制御の最適化、記録レーザパワーの最適化の処理を省略し、記録再生可能状態への移行時間を短縮する。【選択図】  図１
2008198350.tif 000002
【特許請求の範囲】
【請求項１】
映像あるいは音声信号を光ディスクへ記録するための記録信号処理手段と、光ディスクに記録されている映像あるいは音声信号の再生信号処理手段との少なくともいずれかを具備する光ディスク記録または再生装置において、
第１の指令群を受け付ける待機状態と、第２の指令群を受け付ける動作状態とをそれぞれ移行する電源待機動作切替手段と、複数種の媒体を自動的に判別する媒体判別手段と、判別媒体の記憶手段とを具備し、
上記待機状態において媒体の挿抜が行われた場合、上記媒体判別手段を動作させ、該手段による判別結果を上記記憶手段に記憶させると共に、上記第１の指令群中の指令に基づいて上記待機状態から上記動作状態への移行する場合、上記記憶手段に記憶された媒体の種別に基づいて動作状態へ移行させることを特徴とする光ディスク記録または再生装置。
【請求項２】
請求項１記載の光ディスク記録または再生装置において、上記電源待機動作切替手段は、常時通電される指令受付手段と、該手段以外への通電制御手段によって構成されると共に、上記第１の指令群中の指令の中に媒体交換の動作要求指令があって、該指令に基づいて上記指令受手段以外の手段への通電が開始され、媒体挿抜後、上記媒体判別手段と上記記憶手段による媒体種別の判定と記憶を行った後、再び自動的に上記通電制御手段を制御して上記動作待機状態へ復帰することを特徴とする光ディスク記録または再生装置。
【請求項３】
請求項１記載の光ディスク記録または再生装置において、時刻計測手段と、動作開始予約時刻記憶手段とを具備し、上記時刻計測手段と上記動作開始予約時刻記憶手段は常時通電されて動作すると共に、上記第１の指令群中の指令に上記動作開始予約時刻記憶手段の設定時刻の設定要求があって、上記動作待機状態において上記動作開始予約時刻の設定要求があった際に、該指令に基づいて上記指令受手段以外の手段への通電が開始され、上記媒体判別手段と上記記憶手段による媒体種別の判定と記憶を行った後、再び自動的に上記通電制御手段を制御して上記動作待機状態へ復帰することを特徴とする光ディスク記録または再生装置。
【請求項４】
請求項２乃至３記載の光ディスク記録または再生装置において、上記媒体判別手段による媒体の判別ができなかった場合、媒体判別不能の通知手段を具備することを特徴とする光ディスク記録または再生装置。
【請求項５】
光をディスク面へ集光する対物レンズと、該対物レンズの位置を変位させるアクチュエータ機構と、上記ディスクの反射光より上記アクチュエータ機構を制御するための誤差信号を生成してレンズ位置を所望の位置に制御するサーボ制御手段とから構成される光ディスク制御手段と、該光ディスク制御手段により映像あるいは音声信号を光ディスクへ記録するための記録信号処理手段と、上記サーボ制御手段により光ディスクに記録されている映像あるいは音声信号の再生信号処理手段との少なくともいずれかを具備する光ディスク記録または再生装置において、
第１の指令群だけを受け付ける待機状態と、第２の指令群を受け付ける動作状態とをそれぞれ移行する電源待機動作切替手段と、上記サーボ制御手段の反射光あるいはアクチュエータ機構の特性ばらつきを補正するゲイン学習手段と、該補正値の記憶手段とを具備し、
上記待機状態において媒体の挿抜が行われた場合、上記ゲイン学習手段を動作させ、該手段による補正値を上記記憶手段に記憶させると共に、上記第１の指令群中の指令に基づいて上記待機状態から上記動作状態への移行する場合、上記記憶手段に記憶された補正値に基づいて上記サーボ制御手段を動作させて動作状態へ移行させることを特徴とする光ディスク記録または再生装置。
【請求項６】
請求項５記載の光ディスク記録または再生装置において、上記電源待機動作切替手段は、常時通電される指令受付手段と、該手段以外への通電制御手段によって構成されると共に、上記第１の指令群中の指令の中に媒体交換の動作要求指令があって、該指令に基づいて上記指令受手段以外の手段への通電が開始され、媒体挿抜後、上記ゲイン学習手段と上記記憶手段により上記サーボ制御手段のゲイン補正値の学習とその記憶を行った後、再び自動的に上記通電制御手段を制御して上記動作待機状態へ復帰することを特徴とする光ディスク記録または再生装置。
【請求項７】
請求項６記載の光ディスク記録または再生装置において、時刻計測手段と、動作開始予約時刻記憶手段とを具備し、上記時刻計測手段と上記動作開始予約時刻記憶手段は常時通電されて動作すると共に、上記第１の指令群中の指令に上記動作開始予約時刻記憶手段の設定時刻の設定要求があって、上記動作待機状態において上記動作開始予約時刻の設定要求があった際に、該指令に基づいて上記指令受手段以外の手段への通電が開始され、上記ゲイン学習手段と上記記憶手段により上記サーボ制御手段のゲイン補正値の学習とその記憶を行った後、再び自動的に上記通電制御手段を制御して上記動作待機状態へ復帰することを特徴とする光ディスク記録または再生装置。
【請求項８】
請求項６乃至７記載の光ディスク記録または再生装置において、上記ゲイン学習手段による上記サーボ制御手段のゲイン補正値の学習ができなかった場合、サーボ制御不能の通知手段を具備することを特徴とする光ディスク記録または再生装置。
【請求項９】
発光手段と該発光手段の発光強度制御手段とより所定の強度に制御される光をディスク面へ集光する対物レンズと、該対物レンズの位置を変位させるアクチュエータ機構と、上記ディスクの反射光より上記アクチュエータ機構を制御するための誤差信号を生成してレンズ位置を所望の位置に制御するサーボ制御手段とから構成される光ディスク制御手段と、該光ディスク制御手段により映像あるいは音声信号を光ディスクへ記録するための記録信号処理手段とを具備する光ディスク記録装置において、
第１の指令群だけを受け付ける待機状態と、第２の指令群を受け付ける動作状態とをそれぞれ移行する電源待機動作切替手段と、挿入された媒体に応じた上記発光強度制御手段の制御値を決定する試書手段と、該試書手段より決定された制御値の記憶手段とを具備し、
上記待機状態において媒体の挿抜が行われた場合、上記試書手段を動作させ、該手段により決定された制御値を上記記憶手段に記憶させると共に、上記第１の指令群中の指令に基づいて上記待機状態から上記動作状態への移行する場合、上記記憶手段に記憶された制御値に基づいて上記発光強度制御手段を動作させて動作状態へ移行させることを特徴とする光ディスク記録装置。
【請求項１０】
請求項９記載の光ディスク記録装置において、上記電源待機動作切替手段は、常時通電される指令受付手段と、該手段以外への通電制御手段によって構成されると共に、上記第１の指令群中の指令の中に媒体交換の動作要求指令があって、該指令に基づいて上記指令受手段以外の手段への通電が開始され、媒体挿抜後、上記試書手段と上記記憶手段により上記発光強度制御手段の制御値の決定とその記憶を行った後、再び自動的に上記通電制御手段を制御して上記動作待機状態へ復帰することを特徴とする光ディスク記録装置。
【請求項１１】
請求項９記載の光ディスク記録装置において、時刻計測手段と、動作開始予約時刻記憶手段とを具備し、上記時刻計測手段と上記動作開始予約時刻記憶手段は常時通電されて動作すると共に、上記第１の指令群中の指令に上記動作開始予約時刻記憶手段の設定時刻の設定要求があって、上記動作待機状態において上記動作開始予約時刻の設定要求があった際に、該指令に基づいて上記指令受手段以外の手段への通電が開始され、上記試書手段と上記記憶手段により上記発光強度制御手段の制御値の決定とその記憶を行った後、再び自動的に上記通電制御手段を制御して上記動作待機状態へ復帰することを特徴とする光ディスク記録装置。
【請求項１２】
請求項１０乃至１１記載の光ディスク記録装置において、上記試書手段による上記発光強度制御手段の制御値の決定ができなかった場合、媒体記録不能の通知手段を具備することを特徴とする光ディスク記録または再生装置。
【請求項１３】
請求項１乃至３，５乃至７，８乃至１１記載の光ディスク記録または再生装置において、
上記映像あるいは音声信号の符号化手段と、該符号化信号の蓄積手段とを具備し、上記待機状態における媒体交換の結果得られた上記媒体種別、上記サーボ制御ゲイン補正値、上記発光高度の情報に基づき、該媒体交換後の待機状態から指令に基づいて上記電源待機動作切替手段が上記動作状態側へ切り替える際、上記媒体判別制御手段、上記ゲイン学習手段、試書手段の少なくとも一つ以上の手段を使用せずに動作状態へ移行する場合、該動作状態への移行が完了する前から、上記符号化手段を動作させ、上記蓄積手段への蓄積を許可することを特徴とする光ディスク記録または再生装置。
【請求項１４】
請求項１３記載の光ディスク記録または再生装置において、上記記録開始の許可状態を明示する手段を具備したことを特徴とする光ディスク記録または再生装置。
【発明の詳細な説明】
【技術分野】
【０００１】
本発明は光ディスクへの記録あるいは再生装置に関わり、特に装置の待機状態におけるディスク装填時の予備動作により、待機状態から動作状態への移行時の起動時間短縮と誤動作防止を図る技術に関するものである。
【背景技術】
【０００２】
従来の技術として、バッテリで駆動される光ディスク装置に静止画を記録する装置の構成が開示されている。（例えば、特許文献１を参照。）
この装置では、待機状態での媒体交換時に自動的に装置全体の電源を投入し、媒体上に記録されている画像情報の管理情報から、媒体の空き容量を認識し、該空き容量を不揮発メモリに記憶して、装置全体を再び待機状態に移行させる。そして、その後に使用者が撮像を目的として装置全体の電源投入指示を行った際、上記不揮発メモリに記憶した媒体の空き容量から撮像画像が媒体に記録可能か否かを即座に判断し、使用者に撮像可能か否かを促す表示を高速に提示する手段が開示されている。
【０００３】
また、待機状態での媒体交換時に自動的に装置全体の電源を投入している期間に媒体へ記録を行う場合のレーザパワーの最適値を求め、該最適値もまた上記不揮発メモリに記憶し、後に使用者が撮像を目的として装置全体の電源投入指示を行った際、記録レーザパワーの最適値を求める処理を簡略化して、電源投入から撮像信号の記録動作が行われるまでの処理を短縮する手段について開示されている。
【０００４】
【特許文献１】特開２００２−９３０２３公報
【発明の開示】
【発明が解決しようとする課題】
【０００５】
上記従来の技術では、媒体の種別が複数種あるディスク装置に関しては特には考慮されていなかった。そのため、複数種の媒体に対応したディスク装置を利用しようとした場合、ディスク種別を判別するための処理時間、および、反射率の異なる複数種の媒体に最適なサーボ制御値を求めるための処理時間を必要とし撮像信号の記録が速やかに開始されないといった課題があった。
【０００６】
また、上記従来の技術では、待機状態における空き容量のチェックの結果、空き容量がなかった場合や、媒体の汚れや傷等によって記録レーザパワーの最適値決定が旨くできなかった場合等、待機状態での一時的な装置全体への通電による上記処理に何らかの支障があった場合、その時点での使用者への通知については特には考慮されていなかった。そのため、使用者は撮像を目的として電源を投入した際にその支障を知ることとなり、撮像機会を逃す可能性があるといった課題があった。
【０００７】
また、上記従来の技術では、動画を予約して録画する装置に関しては特には考慮されていなかった。そのため、待機状態においてリモートコントローラから予約を行った際に、装填されていたディスクの種別判別やサーボ制御値や記録レーザーパワーの最適値等を予約時刻のかなり手前から実施する必要があると共に、もし、それらの動作の中に何らかの支障が発生した場合、何ら対処出来ないといった課題があった。
【課題を解決するための手段】
【０００８】
上記課題を解決するために、本発明では以下の手段を講じた。まず、待機状態において媒体の挿抜や交換（以後、挿抜や交換を「交換」と表す。）がなされた場合、装置全体の通電を開始し、ディスクの物理的な特性に基づく媒体判別動作およびサーボ制御値の最適値の決定を行う学習処理を実施する。また、サーボ動作が最適に行える状況となったところで、媒体上に記録されている媒体種別に関する情報を読み出し論理的な媒体種別の判定を行って媒体種別を確定させる。更に、記録レーザパワーの最適値を求める試し書き学習を実施する。以上の第１の起動プロセスが支障なく実行完了した場合、これらの処理によって得られた情報(媒体種別、サーボ制御上の最適値、記録レーザパワーの最適値)を不揮発メモリに記憶させる。その後、これらの処理を実施している期間中に特に使用者から映像の記録や既記録映像の再生を目的とする電源投入指示がない限り、自動的に使用者の指示を受け付けるブロック以外の通電を遮断し待機状態へ移行する。
【０００９】
この後、使用者から記録，再生を目的とする電源投入指示あった場合、上記物理的なディスク特性に基づく媒体判別処理とサーボ制御値、記録レーザパワーの最適値の学習処理を実行せず上記不揮発メモリから情報を読み出し、即座に特定のディスク種別に対する最適値によるサーボ制御、記録パワー設定を実施してディスク媒体を記録再生可能な状態へ至らしめる第２の起動プロセスを具備し実行する。
【００１０】
なお、上記第１の起動プロセス実行中に使用者から記録、再生を目的とする電源投入指示があった場合には、第１の起動プロセス後、待機状態へは移行せず、記録再生可能状態を維持して記録再生情報の転送要求を待つ。
【００１１】
次に、使用者が撮像を目的として電源を投入した際のディスクトラブルに基づく撮像機会を喪失の可能性を低減するために、表示手段を具備し、上記第１の起動プロセスにおいて支障が発生した場合には、その時点において、記録不可能の表示を使用者に対して明示する。
【００１２】
また、待機状態において予約システム対して予約がエントリされた段階で上記第１の起動プロセスを実施し、第１の起動プロセスにおいて支障が発生すればその旨を使用者に明示し媒体の交換等を促す。
【発明の効果】
【００１３】
以上、本発明によれば、以下の効果を得ることが出来る。待機状態において媒体の交換を行った場合、あるいは、予約システムへのエントリーを行った場合、媒体に何らかのトラブルがあれば、その場で、記録不可能の表示がなされるため、本来の撮像あるいは録画機会におけるトラブルを事前に回避できる効果がある。
【００１４】
また、本来の撮像あるいは録画機会における起動時間を短縮できるため、使用者の使用感を向上させる効果や、各種サーボ制御や記録レーザパワー等の最適値を確実に決定するための十分な時間的マージンを確保するために必要以上に予約時刻の手前から装置全体の通電を開始するといった非合理的な電力消費を回避できる効果がある。
【発明を実施するための最良の形態】
【００１５】
以下本発明による実施の形態を図１から９を使用して説明する。本実施の形態は、映像信号を光ディスク装置に記録および再生する構成とその動作を示したものである。図１によりまずその構成と、ここのブロックの動作を説明する。
【００１６】
１０はカメラブロックで、撮像、撮像信号および再生信号の表示、撮像信号の圧縮符号化、再生圧縮信号の復号伸長を行うブロックであり、詳しくは以下の構成となっている。
【００１７】
レンズ１を介して撮像センサ２上に合焦した撮像信号をビデオ信号処理回路３によって映像信号化する。映像信号はＬＣＤ（Ｌｉｑｕｉｄ  Ｃｒｙｓｔａｌ  Ｄｉｓｐｌａｙ）４にて表示されると共に、圧縮伸長回路５に入力される。圧縮伸長回路５にて圧縮符号化された映像信号はバッファメモリ６に蓄えられ、適当な蓄積量となった段階でドライブブロック４４に転送される。
【００１８】
一方、再生時はドライブブロックから転送される圧縮映像信号をバッファメモリ６に蓄えると共に、順次、圧縮伸長回路５およびビデオ信号処理回路３に入力して信号伸長して映像信号として復元する。復元した映像信号はＬＣＤ４にて表示されると共に、外部の表示機器用の接続端子に出力される。記録時の圧縮、再生時の伸長の切替は圧縮伸長制御回路７によって適切に制御されると共に、ドライブブロック４４との記録再生信号転送およびその指令はドライブ指令制御部８によって行われる。
【００１９】
次に、ディスクドライブブロック４４の構成について説明する。  ドライブインターフェイス回路２８はドライブ指令制御部８から指令を受け取ると共に、バッファメモリ６と記録圧縮映像情報、再生圧縮情報の送受信を行う。記録圧縮映像情報はメモリバッファ２９に一時的に蓄えられ、ディスク媒体にとって都合の良いサイズ毎に変調回路３０へ転送され、光記録にとって都合の良い変調方式で変調される。被変調信号はレーザダイオードドライバ回路３１に転送され、最適な記録パワーにてレーザダイオード３２を発光させられて記録が行われる。
【００２０】
再生時はアクチュエータ３４で駆動されるレンズを介して光電変換回路３６上に集光した被変調信号を変復調回路３０にて復調する一方、サーボ制御回路３７にも入力する。サーボ制御回路は被変調信号と共に光電変換回路で得られるアクチュエータ３４のフォーカス制御、トラッキング制御、および、スピンドル制御モータ４０の回転制御の誤差信号に適当な加工を施し、アクチュエータ３４，スピンドルモータ４０，スライダーモータ（不図示）をそれぞれ制御しする。
【００２１】
カメラブロック１０からインターフェース回路２８を介して与えられる指令は、ドライブコントローラ３８で解釈され、サーボ制御回路３７と変復調回路３０のそれぞれへ適切な指示を行い、ディスク上の適切な位置への記録再生動作を制御する。
【００２２】
次に、システムコントロールブロック１６について説明する。  ユーザ指令検出回路１５は装置に取り付けられた各種ボタン（本実施の形態ではＥｊｅｃｔ１７，ＰＢ１８，ＲＥＣ１９，ＰｏｗｅｒＯＮ／ＯＦＦ２０としているがもっと多数のボタンがあっても良い）から、使用者の指示を受け付ける。受け付けた指示に従い、電源回路ブロック２７を制御すると共に、撮像信号の撮像レンズ制御部１１やビデオ信号処理回路３の記録再生設定制御を行う。また、記録時刻、日時等を記録信号と共に記録すべくタイマ制御回路１４を供えている。
【００２３】
次に、電源ブロック２７について説明する。装置が待機状態にある場合は、バックアップバッテリ２２の出力がスイッチ回路２４を介して選択され、レギュレータ回路２５で安定化されてシステムコントローラ１６に供給される。これにより、待機状態であっても、ユーザの指令を何時でも検出できる構成となっている。なお、待機状態では撮像レンズ制御部１１やビデオ信号処理制御部１２は動作させる必要はない。一方、動作状態はシステムコントローラ１６の制御によってレギュレータ回路２３が動作させられてメインバッテリ２１からの電力がスイッチ２４およびスイッチ２６を介して装置全体に供給される。
【００２４】
次に、以上の構成がユーザからの指示によってどのように動作するか図２〜５を交えて説明する。  図２はシステムコントローラ１６の待機時の動作を記述した処理フローである。システムコントローラ１６はメインバッテリ２１もバックアップバッテリ２２の何れも存在しない無電力状態では動作できない。その何れかが装填された場合、レギュレータ回路２５が通電を検知し、システムコントローラ１６にリセット信号を発する。これにより、システムコントローラ１６はコントローラ機能を果たすための適切な初期化処理Ｓ１を実行してユーザからの電源投入待ち等を待ち受ける無限ループＳ２に遷移する。
【００２５】
通常バックアップバッテリー装填したままで使用し続けるので、このリセット動作はバックアップバッテリの交換時以外殆ど発生しない。即ち、待機状態では通常、図２のＳ２の無限ループを実行している。
【００２６】
この状態において、タイマ回路１４からの割り込み制御により一定間隔毎（Ｓ３）にボタン２０またはボタン１７による使用者からの電源投入要求（記録再生を目的とする電源投入あるいはディスク取り出しのための電源投入）と、ディスクを装填しているカバー４１の開閉検知スイッチ４２によりカバー開状態から閉状態の検出を待ち受ける（Ｓ４）。その何れかのユーザ指示があると電源投入処理（Ｓ５）、あるいは、待機状態における媒体交換処理（Ｓ６）の何れかを実行する。
【００２７】
まず初めに、図３により電源投入要求時の処理について説明する。  システムコントローラ１６は使用者の電源投入指令を受理すると、レギュレータ回路２３を動作状態にすると共にスイッチ２６を制御してカメラブロック１０，ドライブブロック４４への通電を開始する（Ｓ７）。ここで、前回の動作状態の最後のドライブ状態をバックアップドメモリ１３から読み出す（Ｓ８）。電源投入の目的がイジェクト以外の場合、前回ドライブブロック４４への通電の最後の状態がディスク無しか若しくはディスク異常であれば、その旨をビデオ信号処理回路３にて文字情報を重畳することでＬＣＤ４に表示する（Ｓ９）。なお、この使用者への通知手段は必ずしもＬＣＤである必要はなく、ＬＥＤによるワーニングランプ表示でも、ブザーなどによる音による通知でもかまわない（何れも不図示）。
【００２８】
もし、イジェクト要求以外で、ディスクが装填されていて、前回通電時にディスク異常がなければ、媒体判別等を省略する高速起動要求をドライブブロック４４に発行すするべく準備する（Ｓ１１）。
【００２９】
次に、電源遮断要求が使用者からなされるまでの間、使用者からその他の司令を待ち受けるループ（Ｓ１２）に遷移する。ここで、先の高速起動要求が発行可能な状態であれば、高速起動をドライブに対して発行する。ドライブに高速起動要求を行った後は記録バッファメモリ６への蓄積時間内にドライブ記録可能状態に移行できるため、使用者に対し記録開始の許可の表示をＬＣＤ４に行う(不図示)。以降は使用者の指示を待ち受け、そのそれぞれのユーザ指示に基づく要求をドライブに対して発行していく。
【００３０】
なお、Ｓ９において前回のドライブ状態がディスク無しかまたは異常状態であれば、イジェクト要求（Ｓ１６）若しくは電源遮断要求（Ｓ１７）だけをこのループ（Ｓ１２）で受け付ける。
【００３１】
使用者の所望する各動作（記録（Ｓ１８）あるいは再生（Ｓ１９））が終了し、使用者が電源遮断要求をスイッチ２０により指示すると、システムコントローラ１６はドライブに対して電源遮断前の処理を実行する要求を発行する（Ｓ１７）。システムコントローラ１６はドライブの電源遮断前処理が完了すると、Ｓ１７の処理結果に異常がなければそれをバックアップドメモリ１３に記憶し電源回路ブロック２７を制御して待機状態へ移行する（Ｓ２２）。
【００３２】
以上が、使用者による電源投入要求から遮断要求までの一連の流れである。ここで、装置状態が待機状態にある場合にイジェクト要求によって動作状態へ移行させられた場合は、システムコントローラ１６はドライブへイジェクト要求を行い、カバー解放駆動機構４３にてカバー４１が開状態に移行した後、使用者からの電源遮断要求が無くてもＳ１７の要求をドライブに発行しＳ２１の処理においてドライブがディスク無し状態である旨を記憶して待機状態に移行する（処理フロー不図示）。これは元々の状態が待機状態であったため撮像部等も未使用であったことから特に電源を通電し続ける必要がないことが明確であるからである。そのため、使用者の意図によってどのくらい継続するか不明なカバー開状態において電源を通電し続けることは電力的に非合理的であるため電源を遮断するものである。
【００３３】
一方、元々の装置状態が動作状態にある場合のイジェクト要求時は、ドライブへイジェクト要求を行い、カバー４１を開状態にしてもなおシステムコントローラ１６は動作状態を継続する。これは使用者がＬＣＤ若しくは外部の表示機器にて撮像映像信号をモニタしている可能性があるため、むやみには電源を遮断すべきでないとの考えに基づくものである。図３のＳ１４に記述した蓋開閉検知によって起動されるドライブへの全セットアップ要求は、この動作状態においてイジェクト要求が受け付けられて、その後、動作状態のまま蓋が閉じられた場合に実行される処理である。
【００３４】
上記待機状態において使用者からイジェクト要求があって、そのイジェクト処理後自動的に待機状態に移行した後、システムコントローラ１６は蓋開閉検知スイッチ４２（図１）により使用者がディスクを装填してカバー４１を閉じた事を認識する（図２ Ｓ４）。これにより、システムコントローラ１６は待機状態におけるディスク交換時処理（図２ Ｓ６）を実行する。
【００３５】
図４はその待機状態におけるディスク交換時処理の詳細である。システムコントローラ１６は、まず初めに、レギュレータ回路２３とスイッチ２６を制御し、メインバッテリ２１の電力はカメラブロック１０，ドライブブロック４４へと供給する（Ｓ２３）。また、レギュレータ回路２３の励起に伴ってスイッチ２４を介してシステムコントローラ１６の電力もメインバッテリから供給される。
【００３６】
ここで、カバー４１が開状態から閉状態に移行したということは新たなディスクが装填されたか若しくはディスクが装填されずに単にカバー４１が閉じられたかの何れかである。そこで、システムコントローラ１６はドライブブロック４４に対して、ディスクの有無，種別の判別、サーボ制御および記録レーザパワーの最適値の学習等、装填されたディスクに対して記録再生可能な状態に移行する要求（以下セットアップと記載する）を発行する（Ｓ２４）。そして、ドライブインターフェイス２８（図４ではATAPIコントローラ）を介して返されるセットアップ処理の結果を待ち受け（Ｓ２５）、もし、ディスクが装填されていなかった場合、あるいはまた、セットアップ結果に異常があって、装填されたディスクを記録再生可能な状態に移行することが出来なかった場合、そのそれぞれの旨をＬＣＤ４に一定時間表示する（Ｓ２６〜２８）。
【００３７】
その後、ドライブに対して待機状態に移行する旨を通知しその応答を待つ（Ｓ２９）。ドライブが待機状態移行準備完了の旨を応答すると、システムコントローラ１６はドライブのセットアップ処理結果をバックアップドメモリ１４に記憶し（Ｓ３０）、カメラブロック１０，ドライブブロック４４へのメインバッテリからの電力供給を遮断し、自らも、スイッチ２４によってバックアップバッテリ２２による待機状態動作に移行する。
【００３８】
以上が、システムコントロールブロック１６の動作である。なおこれまで、システムコントローラ１６がドライブブロック４４へ対し直接指令するかの様な説明を行ってきたが、ドライブ制御部８を介してドライブブロック４４へ指令したり、ドライブブロック４４からの応答を受けたりする。
【００３９】
これは、記録や再生といった動作の場合、単にドライブブロック４４に対して指令を発行するだけでなく、ビデオ信号の圧縮伸長回路５やバッファメモリ６と連動してドライブブロック４４への指令を発行する必要があるためである。本実施の形態では、この圧縮伸長制御回路７、ドライブ指令制御部８を合わせてシステムコントローラ９とする。このシステムコントローラ９はもちろんシステムコントローラ１６と同一のマイクロコンピュータ等を利用して構成してもかまわないが、本実施の形態では、電力系統を独立に構成できるよう別のマイクロコントローラで構成している。図５にシステムコントローラ９の処理フローを示す。
【００４０】
システムコントローラ９は待機状態では通電されていないため、システムコントローラ１６によって通電が開始される毎にリセット状態から処理を開始する。システムコントローラ９はまずコントローラとして必要な初期化処理を行った後（Ｓ３２）、システムコントローラからの指令待ち（Ｓ３４）、および、指令に基づく各処理の実行（Ｓ３５）を繰り返し行う無限ループ（Ｓ３３）にを実行する。システムコントローラ１６から指令として全セットアップ要求を受け取ると、システムコントローラ９はドライブブロック４４に対して全セットアップ要求を指令する（Ｓ３６）。その結果、ドライブブロック４４は記録再生可能な状態に移行し、その結果をシステムコントローラ９に返す。この結果を受けてシステムコントローラ９は記録あるいは再生可能である旨をシステムコントローラ１６に返す。システムコントローラ１６側ではこれを受けて使用者に対して記録再生可能である旨をＬＣＤ４に表示する。
【００４１】
一方、システムコントローラ１６から指令として高速セットアップ要求を受け取るとシステムコントローラ９はドライブブロック４４に高速セットアップを要求（Ｓ３７）する。ここで、ドライブブロック４４は過去の待機状態における媒体交換時の全セットアップ処理の動作結果、あるいは、過去の動作状態における動作結果として得られていた媒体の有無、種別や、サーボ制御ならびに記録レーザパワーの最適値が、指令を受けた現時点において利用可能であって且つ記録再生状態へ移行と判断する場合、高速セットアップ処理が完了していなくともその旨をシステムコントローラ９に応答する。システムコントローラ９はこれを受けて、その旨をシステムコントローラ１６に返す。システムコントローラ１６はこれを受けて、その旨をＬＣＤ４に表示する。この表示は使用者にとって特に記録時に有効に動作する。即ち、ビデオカメラの場合、使用者にとってドライブのセットアップを待つことなく、記録を開始できるため撮像機会を逃す可能性が低減されるからである。
【００４２】
なお、この場合、ドライブの高速セットアップ時間に対して十分容量のバッファメモリ６を用意する必要がある。ただし、このように考えると全セットアップ処理に見合うバッファメモリ容量を具備すれば、高速セットアップだけでなく全セットアップ時においてもセットアップ処理が完了する前から使用者から見た映像の記録開始を提供できると考えられる。しかし、バッファ容量を大きくしすぎると、バッファに記録した映像データを全てディスクに記憶し終わるまでは事実上電源を遮断することができなくなる。即ち、全セットアップ処理に要する時間に更にバッファに蓄積したデータを全て記憶し終わるまで時間、電源を遮断できなくなる。したがって、バッファ容量のサイズは使用者の使用感に見合う程度の容量とする必要がある。
【００４３】
それ故、本実施の形態では上記のようなバッファ６への記録開始許可を高速セットアップ処理の場合に限定すると共に、待機状態における媒体交換時にあらかじめ全セットアップ処理を実施し、真に使用者が撮像目的に電源を通電した場合、高速セットアップ処理によって出来るか限り短時間で記録再生可能状態へ移行させる構成とした。
【００４４】
また、システムコントローラ１６が待機状態のドライブブロック４４の待機状態における媒体交換や、過去の動作状態における動作結果を把握できる仕組みとしているが、本実施の形態では、システムコントローラ１６では判断せずシステムコントローラ１６を介して高速セットアップ要求のドライブからの応答結果として把握する方法としている。これは、温度に代表される過去の動作結果を得た際の環境の違いにより、過去の動作結果をそのまま採用できない場合があるからである。それ故、システムコントローラ１６は高速セットアップを要求可能な状態にあるか否かだけを把握し、高速セットアップ要求を行った場合に、ドライブ側がそれを受理した場合にのみ、使用者に対して記録開始の可能の旨を表示する構成としている。
【００４５】
以下、全セットアップ若しくは高速セットアップ処理によってドライブが記録可能な移行した状態、もしくが、バッファメモリ６の蓄積時間内に確実に移行できる場合、使用者は記録開始を指示することができる。
【００４６】
この指示を受けてシステムコントローラ１６からシステムコントローラ９へ記録の要求があると、システムコントローラ９はビデオ信号圧縮符号化回路５を制御して符号化とバッファメモリ６の蓄積を開始する処理を行うと共に、ドライブブロック４４が記録可能状態に至っていれば、ドライブブロックにとって都合のよい転送プロトコルで、順次記録データをメモりバッファ６から転送する制御を行う（Ｓ４０）。
【００４７】
使用者から再生要求があった場合は、逆にドライブブロック４４に対して媒体データを読み出し、バッファメモリ６に対して転送する要求を行うと共に、順次転送される再生データを圧縮伸長回路５に入力して映像信号を復元するための処理を開始させる。
【００４８】
以降、使用者が所望の動作を行い電源の遮断要求を行ってきた場合、その旨を受けたシステムコントローラ９はドライブブロックに対してまず停止要求を行い（Ｓ４２）、その後、次回電源投入時に高速セットアップ上必要な情報を保存する等電源遮断に対して必要な処理をドライブブロック４４に対して要求する（Ｓ３９）。Ｓ３９の処理の完了報告をドライブブロック４４から受けるとシステムコントローラ９はそれをシステムコントローラ１６へ通知する。
【００４９】
以上、ドライブブロック４４の動作概略を交えながらシステムコントローラ９の動作を説明してきたが、ドライブコントローラ３８によって制御されるドライブブロック４４の動作詳細を図６〜９にて説明する。
【００５０】
待機状態においてドライブブロック４４は通電されていない。したがって、システムコントローラ１６によってドライブブロック４４への通電が開始される毎に、ドライブコントローラ３８はリセット状態から処理を開始する。図６にリセット状態から最初に起動される処理フローを示す。
【００５１】
ドライブコントローラ３８はコントローラとして必要な初期化処理（Ｓ４４）を行った後、ドライブインタフェース回路２８を介してのシステムコントローラ９からの指令待ち（Ｓ４６）、指令に応じた処理の実行（Ｓ４８〜５３）、処理結果のシステムコントローラ９への報告（Ｓ５５）、といった一連の処理を繰り返す無限ループ（Ｓ４５）を実行する。
【００５２】
指令の分類は、基本的に、システムコントローラ９の指令要因と一対一に対応している。即ち、システムコントローラ９から全セットアップ要求があれば全セットアップ処理を実行（Ｓ４８）し、高速セットアップ要求があれば高速セットアップ処理を実行（Ｓ４９）する。また、イジェクト要求がればカバー解放駆動機構４３を動作させてカバー４１の解放し（Ｓ５０）、電源遮断前の準備処理の要求があればドライブの停止処理（Ｓ５４）と準備処理（Ｓ５１）を順に実行する。また、データの記録あるいは再生要求があると、図１の構成で説明した２８から３０の信号制御系、３１，３２，３６のレーザ発光系および受光系、３４，３７，４０のサーボ制御系を適切に制御してデータの記録（Ｓ５２）あるいは再生（Ｓ５３）を実行する。
【００５３】
次に、図７は全セットアップ（Ｓ４８）の具体的な処理フローである。その内容は以下の通りである。初めに、カバー解放機構４３によりカバーが解放できない状態にした後（Ｓ５６）、媒体の有無や種別の大まかな判別を行う（Ｓ５７）。
【００５４】
媒体有無判別の具体的な方法としては、例えば、レーザ３４を発光させ、光電変換回路３６により反射光の有無により判別するサーボ制御上の手段による方法がある。また、媒体が何らかのケースに収められている場合は、ケースが装填されることによって、機械的にスイッチを押すことでも検出できる。
【００５５】
また、媒体が存在した場合、その媒体の種別を判定する方法としては、例えば、媒体の種別毎に異なる反射光レベル、あるいは、反射光を加工して得られるアクチュエータ機構３４のフォーカス誤差信号やトラッキング誤差信号これらの振幅の組み合わせによって分類ができる。ここで、上記で、大まかなと記載した意味はこれらの組み合わせだけでは数あるディスク媒体の種別を全て分類することは容易ではなく、最終的には媒体上に記録されている媒体種別の情報等を利用して完全な分類を行う。この段階では、この媒体種別情報を読み出すために必要なサーボ制御方式や信号再生方式を判定できるレベルまで分類できていればよい。
【００５６】
次に、媒体が存在してかつ大まかな種別判別ができた場合（Ｓ５８）、スピンドルモータ４０の回転と、アクチュエータ機構３４の制御をサーボ制御回路３７によって実行させる（Ｓ５９）。ここで、上記フォーカス制御信号やトラッキング誤差信号は媒体の種別によって大きく異なる。また、同じ種別の媒体であっても媒体毎にばらつきを有する。そのため、媒体の種別毎ならびに媒体毎に上記サーボ制御信号のゲインを調整する（Ｓ６０，Ｓ６１）。このゲイン情報は、例えば、サーボ制御回路内の乗算器レジスタ（不図示）等に格納されていて制御特性を最適値に可変する事により実現される。なお、このサーボ制御のゲイン調整は媒体の判別に伴って行われる他に、温度よってアクチュエータ機構３４のバネ力が変化するため、温度変化を温度センサ（不図示）などで検知して再学習する場合もある。
【００５７】
以上のようにして、サーボ制御が適正に行われると（Ｓ６２）、媒体上に記録されている種別情報を読み出し媒体種別を完全に確定させる（Ｓ６４）。また、媒体情報から媒体の種別が記録可能媒体である場合（Ｓ６５）、媒体毎の記録時のレーザ発光パワーを確定させるために試し書き処理を実行する（Ｓ６６）。この処理の具体的の方法としては、例えば、記録レーザパワーを徐々に変えながら記録を行い、その部分を再生した結果、再生品質の最も良い再生信号が得られたときのパワーを用いることによって確定できる。この記録レーザパワーの調整値もまた、例えば、レーザダイオードドライバ回路３１内にある乗算器レジスタ（不図示）に格納されレーザパワーを最適値に可変する。
【００５８】
なお、試し書き制御はディスク媒体上に設けられた特定の領域を利用して行われる。ここで、書き換え可能媒体の場合は、この試し書き用領域を何度でも繰り返し利用できるが、追記だけが可能で書き換え不可能な媒体の場合、試し書きエリアにも限りがある。そのため、本実施の形態では、この全セットアップ処理期間中に実施する構成としているが、実際に使用者から記録要求があった後、その時点で試し書きを行う構成のものもある。また、レーザダイオード３２は上記アクチュエータ機構３４の場合と同様に、温度変化の影響を受けやすい為、必要に応じて再学習される。
【００５９】
以上のようにして、試し書きが正常に終了すれば（Ｓ６５）ドライブブロック４４はシステムコントローラ９，１６に対して、媒体の有無，種別, 全セットアップ処理の正常終了などの情報を報告する（図６ Ｓ４３）。もし、試し書き制御だけが不調に終わった場合は再生は可能である旨も情報としてシステムコントローラ９，１６に報告する。
【００６０】
次に、図８により電源遮断前の準備処理（Ｓ５１）の構成について説明する。まず、サーボ制御系が動作中であればアクチュエータ制御機構３４，レーザ消灯，スピンドルモータ停止の順に各動作を停止させる（Ｓ６９）。次に、媒体の有無、媒体の種別を不揮発メモリ３９に記憶させる共に、サーボ制御回路３７，レーザダイオードドライバ３１内のレジスタに格納されている最終的なサーボ制御のゲイン調整値、および、記録レーザパワーの調整値を各回路から読み出して不揮発メモリ３９に記憶させる（Ｓ７０）。以上により、電源遮断のための準備が完了する。
【００６１】
なお、本実施の形態では、上記サーボ制御、試し書き制御の各調整値をドライブブロックの不揮発メモリに記憶した。これらの情報を媒体の有無、種別と共にシステムコントローラ９を介してシステムコントローラ１６に報告し、バックアップドメモリ１３に記憶することで、ドライブブロック４４側の不揮発メモリを不要としてもかまわない。このようにすれば回路コストの節約が可能である。しかし、ドライブブロックだけが必要な情報はドライブブロックだけに留めておくことで、ドライブブロックを他の製品に応用する場合、その上位システム側の処理の煩雑化を避けることができるため、本実施の形態では、高速セットアップに必要な情報を敢えて分散して記憶する構成とした。
【００６２】
次に、高速セットアップ時の構成を図９により説明する。まず、上記不揮発メモリに記憶した情報を全て読み出し（Ｓ７１）、媒体の有無種別、試し書き制御を含めた前回動作時の最終的な動作の正常性が確認できて、かつ、サーボ制御や試し書き制御の調整値が温度変化等を考慮して利用可能である場合（Ｓ７２）、その旨をシステムコントローラ９を介してシステムコントローラ１６に報告する（Ｓ７３）。システムコントローラ１６はこれを受けて即座に使用者に対して、記録開始が可能である旨をＬＣＤ４等に表示する。この段階で使用者はバッファメモリ６を利用した記録開始が可能となる。もし、何れかの情報が不調であって高速起動できない場合は、ドライブは全セットアップ処理に切り替えて処理を実行する（Ｓ４８）。
【００６３】
媒体があって、サーボ制御、試し書き制御に関する調整値が有効に機能できる状態であれば実質的にはサーボ制御を動作させるだけでセットアップが完了する（Ｓ７５）。これにより、仮に使用者がバッファメモリ６を利用した記録を開始していてもドライブブロック４４が高速かつ確実に起動でき、バッファメモリ６が容量オーバとなる前に媒体への実質的な記録を開始できる。即ち、本実施の形態によれば、待機時の媒体交換時にあらかじめ媒体の判別、サーボ制御、試し書き制御の調整値を求めておくため、実際に使用者が記録する段になって記録不可能起こすことなく、かつ高速な記録を開始できる。
【００６４】
なお、本実施の形態では、媒体判別、サーボ制御の調整値、試し書き制御の調整値の全てを省略して高速セットアップを行ったが、メモリバッファ６の容量に応じて、サーボ制御の最適値や試し書き制御の最適値の再学習を両方あるいは選択的に若しくは温度等の環境変化に応じて実行できることは言うまでもない。
【００６５】
次に、図１０により本発明の第２の実施の形態の構成を説明する。ただし、第１の実施の形態とほぼ同様の構成が多いためその異なる部分だけを説明する。第１の実施の形態が撮像映像信号を光ディスク媒体に記録するビデオカメラ装置であったのに対し、本実施の形態は受信信号を光ディスク媒体に記録するビデオデッキ装置である。
【００６６】
アンテナ４５で受信される電波から所望のチャンネルを選択的に復調するチューナ回路４６により映像信号を得る。この映像信号をビデオ信号処理回路４７以降の回路、機構を用いて光ディスク３５に記録、あるいは、光ディスク３５に記録済みの映像データを読み出して再生映像信号を得るまでの構成は第１の実施の形態と同様である。受信映像信号の表示ならびに再生映像信号の表示は装置外のモニタ装置４８にて表示する。第１の実施の形態において、カメラブロック１０と記載していた部分は映像信号処理ブロック５０に相当する。
【００６７】
次に、システムコントローラ１６について第１の実施の形態と異なる部分を説明する。５１は使用者からの要求に応じて受信チャンネルを選択するチューナ制御回路、また、リモコン送信回路５２と受信回路５３は上記受信チャンネルや記録開始の時刻予約を使用者が行うためのものである。
【００６８】
次に、ドライブブロック４４について第１の実施の形態と異なる部分を説明する。第１の実施の形態では、ディスクの装填を手動で行い、それをカバー４１で蓋をする構成としていた。これに対し、本実施の形態では、ディスクをトレー５６に乗せ、そのトレー５６をトレー駆動機構５７で駆動して出し入れし、ディスクをロード，アンロードする。５８はトレーがロード状態にあるかアンロード状態にあるかを検出するスイッチセンサである。また、第１の実施の形態において、使用者のイジェクト指令を得るために設けていたスイッチ１７は、上記センサスイッチ５８の状態に応じて、トレーロード状態にあればイジェクト指令を与えるボタンとして動作し、トレーアンロード状態にあればロード指令を与えるボタンとして機能する。
【００６９】
最後に、電源ブロック２７について説明する。コード５５を介して商用電源から得られる交流電力を整流平滑回路５４にて直流信号に変換すると共に、レギュレータ回路２３において安定化する。システムコントローラ１６は更にレギュレータ回路２５を介して常に電力の供給うける。一方、記録再生信号処理ブロック５０とドライブブロック４４はシステムコントローラ１６から動作状態への移行制御によりスイッチ２６が閉じられて動作を開始する構成となっている。
【００７０】
次に、上記第２の実施の形態の構成において、本発明がどのように、適用されているかを図１１〜１７の処理フローによって説明する。なお、第１の実施の形態と同等の処理内容に相当する処理ステップには同一のステップ番号を付してある。
【００７１】
図１１はシステムコントローラ１６のメイン処理を示している。第１の実施の形態と同様に、システムコントローラ１６は待機状態においても常に動作し続けるため、通常はリセット状態からの処理開始とはならない。コード５５が商用電源につながれていない状態からつながれ状態となった場合、システムコントローラ１６はリセットからの処理を開始し、コントローラとしての必要な初期化処理を行った後（Ｓ１）、無限ループ（Ｓ２）を実行する。
【００７２】
無限ループ（Ｓ２）では、タイマ回路１３によって発生させられる一定時間毎の割り込み処理（Ｓ８０）による時刻計測のカウントを行って時計機能を実現する（Ｓ８２）。また、割り込み信号はリモコン受信回路５３によっても発生する。
【００７３】
タイマ割り込み若しくはリモコン受信割り込みによって、使用者のボタンスイッチによる指示若しくはリモコン送信データに基づいて、使用者の指令の有無を検知し、指令があれば、それぞれの指令に対応した処理を実行する（Ｓ８３）。
【００７４】
ここで、第１の実施の形態にはなかった指令としては、リモコンによる時刻予約記録の設定指示に対する処理（Ｓ８５）と、予約時刻と現在時刻が一致した事による記録開始処理（Ｓ８６）がある。以下、この二つの処理を含めた各処理について説明する。
【００７５】
図１２は、使用者から映像信号の記録再生を目的とする電源投入要求のみならず、ロード、イジェクト等全ての要因で待機状態から動作状態に移行する電源投入指令を受けた場合のシステムコントローラ１６の処理フローである。この処理は第１の実施の形態における図３の処理と殆ど同じである。異なるところとしては、第１の実施の形態において、蓋開状態から蓋閉状態への検出により全セットアップ処理を実行していたのに対し、本実施の形態ではロード要求があった場合に全セットアップ要求をコールしている点である。
【００７６】
なお、第１の実施の形態と同様に、本実施の形態においても、待機状態においてイジェクト要求があった場合にはイジェクト後自動的に動作状態へ遷移させ、また、動作状態においてイジェクト要求があった場合にはイジェクト後も動作状態を継続する。これは、動作状態では使用者が受信映像信号をモニタ装置において鑑賞している可能性があるからである。一方、待機状態では使用者の視聴を気にする必要がないので、イジェクト後省電を目的としてロード要求があるまでの間待機状態へ移行する。
【００７７】
この際の、システムコントローラ１６の処理フローを図１３，１４に示す。まず、図１４から説明すると、システムコントローラ１６は、受信信号記録再生ブロック５０とドライブブロック４４への通電を開始する（Ｓ８７）。そして、ドライブブロック４４に対して、イジェクト要求を行い（Ｓ８８）その完了を待つ（Ｓ８９）。ドライブコントローラ４４はこれを受けて先に説明したトレー制御機構５７を動作させてトレーをアンロード状態の位置まで動作させ、その結果をシステムコントローラ９を通じてシステムコントローラ１６へ返す。これを受けて、システムコントローラ１６は受信記録再生信号処理ブロック５０とドライブブロック４４への通電を遮断する（Ｓ９０）。
【００７８】
次に、図１３により待機状態におけるロード要求時の処理を説明する。システムコントローラ１６は受信信号記録再生ブロック５０とドライブブロック４４に通電を開始し（Ｓ２３）、全セットアップ要求をシステムコントローラ９を介して要求し（Ｓ２４）、その完了を待つ（Ｓ２５）。そして、媒体が無いかあるいは何らかのトラブルによって全セットアップ処理が正常に終了できなかった場合、その旨をフロントパネル上に設けられた表示回路（不図示）に表示する（Ｓ２７，Ｓ２８）。そして、ドライブブロック４４に対して電源遮断のための準備処理を行う要求を実行する（Ｓ３０）。これにより、ドライブブロック側では全セットアップ要求で判明したディスク種別やサーボ制御、試し書き制御の最適値を不揮発メモリに記憶し次回の高速起動要求に準備処理を実行する。また、システムコントローラ１６自身も次回電源投入時に高速起動を要求可能か否かを把握するために全セットアップ処理結果の情報を保存する（Ｓ３０）。その完了後、システムコントローラ１６は電源を待機状態に移行させる（Ｓ３１）。
【００７９】
次に、図１５により、リモコンから予約の指令があった場合のシステムコントローラ１６の動作を説明する（Ｓ８５）。まず、予約時刻をメモり１３に記憶し（Ｓ９１）、電源を動作状態に切り替える（Ｓ２３）。次に、ドライブに対して全セットアップ要求を行い（Ｓ２４）、その完了報告を待つ（Ｓ２５）。その後、図１３の処理と同様の処理を行う。
【００８０】
次に、図１６により、もう一つの待機状態におけるタイマ予約時処理を示す。この処理では、全セットアップ処理は行わず、前回の動作状態の最後の状態もしくは待機状態における媒体交換時の全セットアップ処理結果に基づく状態によって、媒体が確実に動作できる場合には全セットアップ処理を行わない方法である。
【００８１】
この二つの処理は次のように使い分けられる。即ち、前回の動作状態、若しくは、媒体交換時のセットアップ結果が不調であった場合には、改めて、全セットアップを試みる。また、装填された媒体が最後に使用された時点もしくは最後に全セットアップを行われた状態から非常に長い時間（例えば１週間）等の時間が経過している場合は改めて全セットアップ処理を実施する。それ以外の場合は、過去の情報を基にセットアップ処理を割愛する。
【００８２】
次に、図１７により、タイマ予約時刻に慕った段階の処理を示す。厳密には、記録開始予約時刻の少し前に本処理が動作し始める。まず、電電を動作状態に移行し（Ｓ９３）、前回のドライブの動作状態を読み出す。基本的に使用者は予約時に媒体の有無トラブル等を確認しているので特に問題なく、高速セットアップ処理を実行し、下記録を開始する。記録が終了すると停止処理を行い、ドライブに対して電源遮断前の準備処理を要求し、電源を遮断状態に移行する。
【００８３】
以上、第２の実施の形態におけるシステムコントローラ１６の説明をしてきたがドライブコントローラ４４の動作はトレー制御以外は第一の実施の形態度同様である。
【００８４】
本実施の形態によれば、予約時にあらかじめ装填されているディスクの媒体種別やサーボ制御、試し書き制御の最適値を予めかつまた改めて取得する。これにより、記録時刻にいたってディスクトラブルとなるリスクを軽減することができ使用者の使用感をより向上することができる効果がある。
【図面の簡単な説明】
【００８５】
【図１】本発明において、第１の実施の形態の構成を説明するためのブロック図である。
【図２】第１の実施の形態にいて、システムコントローラ１６の待機状態でのユーザ指示の検出処理フローを説明するためのＰＡＤ(Ｐｒｏｇｒａｍ Ａｒｇｏｒｉｔｈｉｓｍ Ｄｉａｇｒａｍ)図である。
【図３】第１の実施の形態において、使用者から電源投入指示があった際のシステムコントローラ１６の処理フローを説明するためのＰＡＤ図である。
【図４】第１の実施の形態において、待機状態における媒体交換時のシステムコントローラ１６の処理フローを説明するためのＰＡＤ図である。
【図５】第１の実施の形態において、システムコントローラ９の処理フローを説明するためのＰＡＤ図である。
【図６】第１の実施の形態において、ドライブコントローラ３８のシステムコントローラ９からの指示検出処理フローを説明するためのＰＡＤ図である。
【図７】第１の実施の形態において、ドライブコントローラ３８における記録再生可能状態への第１の遷移処理フローを説明するためのＰＡＤ図である。
【図８】第１の実施の形態において、ドライブコントローラ３８における待機状態への移行準備の処理フローを説明するためのＰＤＡ図である。
【図９】第１の実施の形態において、ドライブコントローラ３８における記録再生可能状態への第２の遷移処理フローを説明するためのＰＤＡ図である。
【図１０】本発明において、第２の実施の形態の構成を説明するためのブロック図である。
【図１１】第２の実施の形態のシステムコントローラにおけるユーザ指示の検出処理フローを説明するためのＰＤＡ図である。
【図１２】第２の実施の形態のシステムコントローラにおける待機状態から動作状態への遷移処理フローを説明するためのＰＤＡ図である。
【図１３】第２の実施の形態のシステムコントローラにおける待機状態での媒体挿入指示時の処理フローを説明するためのＰＤＡ図である。
【図１４】第２の実施の形態のシステムコントローラにおける待機状態での媒体排出指示時の処理フローを説明するためのＰＤＡ図である。
【図１５】第２の実施の形態のシステムコントローラにおける待機状態での予約指示時の第１の処理フローを説明するためのＰＤＡ図である。
【図１６】第２の実施の形態のシステムコントローラにおける待機状態での予約指示時の第２の処理フローを説明するためのＰＤＡ図である。
【図１７】第２の実施の形態のシステムコントローラにおける待機状態での予約時刻一致時の処理フローを説明するためのＰＤＡ図である。
【符号の説明】
【００８６】
２…撮像センサ回路、
３…ビデオ信号処理回路、
５…圧縮伸長回路、
６…圧縮ビデオ信号バッファメモリ回路、
９…システムコントローラ２、
１３…装置制御状態記憶メモリ、
１４…タイマ回路、
１６…システムコントローラ１、
２７…電源回路、
３１…レーザ駆動回路、
３２…レーザダイオード、
３４…レンズ、
３５…光ディスク、
３６…光電変換回路、
３７…ドライブサーボ制御回路、
３８…ドライブコントローラ、
３９…ドライブ状態記録メモリ、
４０…ディスク回転駆動モータ、
４１…ディスクカバー、
４２…カバー開閉検知回路、
５６…ディスクトレー、
５７…トレーロード検出スイッチ
【図１】
2008198350.tif 000003
【図２】
2008198350.tif 000004
【図３】
2008198350.tif 000005
【図４】
2008198350.tif 000006
【図５】
2008198350.tif 000007
【図６】
2008198350.tif 000008
【図７】
2008198350.tif 000009
【図８】
2008198350.tif 000010
【図９】
2008198350.tif 000011
【図１０】
2008198350.tif 000012
【図１１】
2008198350.tif 000013
【図１２】
2008198350.tif 000014
【図１３】
2008198350.tif 000015
【図１４】
2008198350.tif 000016
【図１５】
2008198350.tif 000017
【図１６】
2008198350.tif 000018
【図１７】
2008198350.tif 000019
【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
映像あるいは音声信号を光ディスクへ記録するための記録信号処理手段と、光ディスクに記録されている映像あるいは音声信号の再生信号処理手段との少なくともいずれかを具備する光ディスク記録または再生装置において、
第１の指令群を受け付ける待機状態と、第２の指令群を受け付ける動作状態とをそれぞれ移行する電源待機動作切替手段と、複数種の媒体を自動的に判別する媒体判別手段と、判別媒体の記憶手段とを具備し、
上記待機状態において媒体の挿抜が行われた場合、上記媒体判別手段を動作させ、該手段による判別結果を上記記憶手段に記憶させると共に、上記第１の指令群中の指令に基づいて上記待機状態から上記動作状態への移行する場合、上記記憶手段に記憶された媒体の種別に基づいて動作状態へ移行させることを特徴とする光ディスク記録または再生装置。